(57)【要約】      （修正有）【課題】４−ｕｐ印刷において各集約画像の切断片を、各集約画像の同じ辺にする集約画像配置を行う。【解決手段】画像形成装置は、その画像処理装置２０が、少なくとも、用紙の記録面１面に対応する記憶領域３１ａを有する画像記憶部３１を備える。制御部３４が、１枚の用紙に集約配置される４ページ分のページ縮小画像を該ページ縮小画像単位で切断したときの各ページ縮小画像の切断辺が、切断後のページ縮小画像を同じ向きに重ね合わせたときに同じ側の辺となるページ縮小画像の記憶領域３１ａへの配置位置及び向きを求める。制御部３４は、画像配置部３２及び画像向き調整部３３にページ縮小画像の配置及び向き調整を行わせる。【選択図】図２
2016178518.tif 000002
【特許請求の範囲】
【請求項１】
画像データを縮小したページ縮小画像４ページ分を、被記録媒体の記録面１面に集約配置する画像処理装置であって、
少なくとも、前記被記録媒体の前記記録面１面に対応する記憶領域を有する画像記憶手段と、
前記被記録媒体の前記記録面１面に対応する前記記憶領域に対して４ページ分の前記ページ縮小画像を配置する画像配置手段と、
前記記憶領域に対して配置される前記ページ縮小画像の向きを調整する画像向き調整手段と、
１枚の前記被記録媒体に集約配置される４ページ分の前記ページ縮小画像を該ページ縮小画像単位で切断したときの各該ページ縮小画像の切断辺が、切断後の該ページ縮小画像を同じ向きに重ね合わせたときに同じ側の辺となる該ページ縮小画像の前記記憶領域への配置位置及び向きを求めて前記画像配置手段及び前記画像向き調整手段に該ページ縮小画像の配置及び向き調整を行わせる制御手段と、
を備えていることを特徴とする画像処理装置。
【請求項２】
前記制御手段は、
前記被記録媒体の表裏面をページ順とするページ配置の場合、該被記録媒体の表記録面に対応する前記記憶領域の左上領域には、該被記録媒体の枚数が増加するのに伴ってページが増加する前記ページ縮小画像、右上領域には、該被記録媒体の枚数が増加するのに伴ってページが減少する該ページ縮小画像、左下領域には、該被記録媒体の枚数が増加するのに伴ってページが減少するとともに、１８０度回転した該ページ縮小画像、右下領域には、該被記録媒体の枚数が増加するのに伴ってページが増加するとともに、１８０度回転した該ページ縮小画像とするページ縮小画像の配置及び向きを求め、該被記録媒体の裏記録面に対応する該記録領域の各領域には、該表記録面の次のページまたは前のページのページ縮小画像を該表記録面の該ページ縮小画像と同じ向きとするページ縮小画像の配置及び向きを求めることを特徴とする請求項１記載の画像処理装置。
【請求項３】
前記制御手段は、
前記被記録媒体の表裏面をページ順とするページ配置の場合、該被記録媒体の表記録面に対応する前記記憶領域の左上領域には、該被記録媒体の枚数が増加するのに伴ってページが増加するとともに、１８０度回転した前記ページ縮小画像、右上領域には、該被記録媒体の枚数が増加するのに伴ってページが減少するとともに、１８０度回転した該ページ縮小画像、左下領域には、該被記録媒体の枚数が増加するのに伴ってページが減少する該ページ縮小画像、右下領域には、該被記録媒体の枚数が増加するのに伴ってページが増加する該ページ縮小画像とするページ縮小画像の配置及び向きを求め、該被記録媒体の裏記録面に対応する該記録領域の各領域には、該表記録面の次のページのページ縮小画像または前のページのページ縮小画像を該表記録面の該ページ縮小画像と同じ向きとするページ縮小画像の配置及び向きを求めることを特徴とする請求項１記載の画像処理装置。
【請求項４】
前記画像処理装置は、
１枚の前記被記録媒体を切断したときの先頭に、該被記録媒体に配置されている前記ページ縮小画像の重ね合わせ順を案内する案内情報を、該被記録媒体の枚数毎に記憶する情報記憶手段を、
さらに備え、
前記制御手段は、
１枚の前記被記録媒体を切断したときに、該被記録媒体において先頭となる前記記憶領域の位置に、前記案内情報を配置し、以降の該被記録媒体に対応する前記ページ縮小画像を、１ページ分ずつずらした状態で、該ページ縮小画像の配置位置及び向きを求めることを特徴とする請求項１から請求項３のいずれかに記載の画像処理装置。
【請求項５】
前記制御手段は、
全ての画像を記録するのに必要な前記被記録媒体の枚数を、シートナンバ、「０」から始まり現在処理中の該被記録媒体が最初から数えたときの枚数を、カレントシートとしたとき、ベースナンバを、ベースナンバ＝シートナンバ×２とし、該被記録媒体の表記録面に対応する前記記憶領域の前記左上領域へは、「（カレントシート×２−１）＋２」ページの画像を、前記右上領域へは、「ベースナンバ×２−カレントシート×２」ページの画像を、前記左下領域へは、「ベースナンバ×３−カレントシート×２」ページの画像を、前記右下領域へは、「（ベースナンバ×３＋カレントシート×２−１）＋２」ページの画像を、配置し、該被記録媒体の裏記録面に対応する該記憶領域の該左上領域へは、「ベースナンバ×２−カレントシート×２−１」ページの画像を、該右上領域へは、「カレントシート×２＋２」ページの画像を、該左下領域へは、「ベースナンバ×３＋カレントシート×２＋２」ページの画像を、該右下領域へは、「ベースナンバ×３−カレントシート×２−１」ページの画像を、配置することを特徴とする請求項２または請求項３記載の画像処理装置。
【請求項６】
前記画像処理装置は、
１枚の前記被記録媒体を切断したときの先頭に、該被記録媒体に配置されている前記ページ縮小画像の重ね合わせ順を案内する案内情報を、該被記録媒体の枚数毎に記憶する情報記憶手段を、
さらに備え、
前記制御手段は、
全ての画像を記録するのに必要な被記録媒体の枚数を、シートナンバ、「０」から始まり現在処理中の被記録媒体が最初から数えたときの枚数を、カレントシートとしたとき、１枚の該被記録媒体を切断したときの先頭に、前記案内情報を配置する場合、ベースナンバを、ベースナンバ＝（シートナンバ−１）×２とし、該被記録媒体の表記録面に対応する前記記憶領域の前記左上領域へは、カレントシートが「０」のとき、該案内情報を、カレントシートが「０」以外のとき、「カレントシート×２−１」ページの画像を、前記右上領域へは、（カレントシート＋１）がシートナンバのとき、「空」ページの画像を、（カレントシート＋１）がシートナンバ以外のとき、「ベースナンバ×２−カレントシート×２」ページの画像を、前記左下領域へは、（カレントシート＋１）がシートナンバのとき、「空」ページの画像を、（カレントシート＋１）がシートナンバ以外のとき、「ベースナンバ×３−カレントシート×２」ページの画像を、前記右下領域へは、カレントシートが「０」のとき、該案内情報を、カレントシートが「０」以外のとき、「（ベースナンバ×３−カレントシート×２−１）＋２」ページの画像を、配置し、該被記録媒体の裏記録面に対応する該記憶領域の該左上領域へは、（カレントシート＋１）がシートナンバのとき、該案内情報を、（カレントシート＋１）がシートナンバ以外のとき、「ベースナンバ×２−カレントシート×２−１」ページの画像を、該右上領域へは、カレントシートが「０」のとき、該案内情報を、カレントシートが「０」以外のとき、「カレントシート×２」ページの画像を、該左下領域へは、カレントシートが「０」のとき、「空」ページの画像を、カレントシートが「０」以外のとき、「ベースナンバ×３＋カレントシート×２」ページの画像を、該右下領域へは、（カレントシート＋１）がシートナンバのとき、該案内情報を、（カレントシート＋１）がシートナンバ以外のとき、「ベースナンバ×３−カレントシート×２−１」ページの画像を、配置することを特徴とする請求項２または請求項３記載の画像処理装置。
【請求項７】
画像処理部で、画像データを縮小したページ縮小画像４ページ分を、被記録媒体の記録面１面に対応する記憶領域に配置し、該記憶領域のページ縮小画像に基づいて、該被記録媒体に画像形成出力する画像形成装置であって、
前記画像処理部として、請求項１から請求項６のいずれかに記載の画像処理装置を備えていることを特徴とする画像形成装置。
【請求項８】
画像データを縮小したページ縮小画像４ページ分を、被記録媒体の記録面１面に集約配置する画像処理方法であって、
少なくとも、前記被記録媒体の前記記録面１面に対応する記憶領域を有する画像記憶手段の該被記録媒体の該記録面１面に対応する該記憶領域に対して４ページ分の前記ページ縮小画像を配置する画像配置処理ステップと、
前記記憶領域に対して配置される前記ページ縮小画像の向きを調整する画像向き調整処理ステップと、
１枚の前記被記録媒体に集約配置される４ページ分の前記ページ縮小画像を該ページ縮小画像単位で切断したときの各該ページ縮小画像の切断辺が、切断後の該ページ縮小画像を同じ向きに重ね合わせたときに同じ側の辺となる該ページ縮小画像の前記記憶領域への配置位置及び向きを求めて前記画像配置処理ステップ及び前記画像向き調整処理ステップで該ページ縮小画像の配置及び向き調整を行わせる制御処理ステップと、
を有していることを特徴とする画像処理方法。
【請求項９】
画像データを縮小したページ縮小画像４ページ分を、被記録媒体の記録面１面に集約配置する画像処理装置の搭載するプログラムであって、
制御プロセッサに、
少なくとも、前記被記録媒体の前記記録面１面に対応する記憶領域を有する画像記憶手段の該被記録媒体の該記録面１面に対応する該記憶領域に対して４ページ分の前記ページ縮小画像を配置する画像配置処理と、
前記記憶領域に対して配置される前記ページ縮小画像の向きを調整する画像向き調整処理と、
１枚の前記被記録媒体に集約配置される４ページ分の前記ページ縮小画像を該ページ縮小画像単位で切断したときの各該ページ縮小画像の切断辺が、切断後の該ページ縮小画像を同じ向きに重ね合わせたときに同じ側の辺となる該ページ縮小画像の前記記憶領域への配置位置及び向きを求めて前記画像配置処理及び前記画像向き調整処理で該ページ縮小画像の配置及び向き調整を行わせる制御処理と、
を実行させることを特徴とするプログラム。
【発明の詳細な説明】
【技術分野】
【０００１】
本発明は、画像処理装置、画像形成装置、画像処理方法及びプログラムに関し、詳細には、画像の集約処理を行う画像処理装置、画像形成装置、画像処理方法及びプログラムに関する。
【背景技術】
【０００２】
画像形成装置においては、複数ページ分の画像を、１枚の用紙（被記録媒体）上に、集約して印刷する集約印刷機能を備えている画像形成装置がある。例えば、２−ｕｐ印刷（２ページ分の集約画像を１枚の用紙の片面に印刷）、４−ｕｐ印刷（４ページ分の集約画像を１枚の用紙の片面に印刷）等が行われるようになってきている。
【０００３】
このような集約印刷においては、集約印刷された用紙を、集約画像（ページ画像）毎に切断して利用されることがある。
【０００４】
このような集約画像毎に切断する場合、集約画像に対する切断辺の位置が全ての集約画像において同じ位置に揃っていることが要望されることがある。
【０００５】
そして、従来、文書を構成するページデータを一の記録媒体の面上に２ページ分レイアウトして、当該文書の印刷体裁を設定する文書処理装置であって、文書の印刷体裁として、設定されている属性情報を取得する取得手段と、前記取得手段により取得された属性情報において、各ページがレイアウトされた前記記録媒体を印刷後に裁断するための切り口の位置指定が設定されている場合、前記記録媒体の面に配置される第１ページに対して、前記記録媒体の同一面に配置される第２ページの天地方向が逆向きに回転されて前記第１ページと前記第２ページとが配置されるような印刷データを生成するレイアウト制御手段とを備える文書処理装置が提案されている（特許文書１参照）。
【０００６】
この従来技術は、集約数が２であることを前提として、記録媒体の面に配置される第１ページに対して、同一面に配置される第２ページの天地方向を逆向きに回転させた印刷データを生成することで、切断辺の位置を同じ位置に揃えようとしている。
【発明の概要】
【発明が解決しようとする課題】
【０００７】
しかしながら、上記公報記載の従来技術にあっては、２−ｕｐ印刷において、単に、２つの集約データの一方の天地を反転させているのみであるため、４−ｕｐ印刷に適用しても、切断辺を同じ側に揃えることができず、４−ｕｐ印刷において、切断辺を揃えた印刷を行える技術が要望される。
【０００８】
そこで、本発明は、４−ｕｐ印刷において各集約画像の切断辺を、該各集約画像の同じ側の辺にする集約画像配置を行うことを目的としている。
【課題を解決するための手段】
【０００９】
上記目的を達成するために、請求項１記載の画像処理装置は、画像データを縮小したページ縮小画像４ページ分を、被記録媒体の記録面１面に集約配置する画像処理装置であって、少なくとも、前記被記録媒体の前記記録面１面に対応する記憶領域を有する画像記憶手段と、前記被記録媒体の前記記録面１面に対応する前記記憶領域に対して４ページ分の前記ページ縮小画像を配置する画像配置手段と、前記記憶領域に対して配置される前記ページ縮小画像の向きを調整する画像向き調整手段と、１枚の前記被記録媒体に集約配置される４ページ分の前記ページ縮小画像を該ページ縮小画像単位で切断したときの各該ページ縮小画像の切断辺が、切断後の該ページ縮小画像を同じ向きに重ね合わせたときに同じ側の辺となる該ページ縮小画像の前記記憶領域への配置位置及び向きを求めて前記画像配置手段及び前記画像向き調整手段に該ページ縮小画像の配置及び向き調整を行わせる制御手段と、を備えていることを特徴としている。
【発明の効果】
【００１０】
本発明によれば、４−ｕｐ印刷において各集約画像の切断辺を、該各集約画像の同じ側の辺にする集約画像配置を行うことができる。
【図面の簡単な説明】
【００１１】
【図１】本発明の一実施例を適用した画像形成装置のブロック構成図。
【図２】画像処理装置の機能ブロック図。
【図３】画像処理を示すフローチャート。
【図４】用紙上の画像配置レイアウトの一例を示す図。
【図５】ガイドページなしの場合のページ割り当てとページ処理の説明図。
【図６】ガイドページありの場合のページ割り当てとページ処理の説明図。
【発明を実施するための形態】
【００１２】
以下、本発明の好適な実施例を添付図面に基づいて詳細に説明する。なお、以下に述べる実施例は、本発明の好適な実施例であるので、技術的に好ましい種々の限定が付されているが、本発明の範囲は、以下の説明によって不当に限定されるものではなく、また、本実施の形態で説明される構成の全てが本発明の必須の構成要件ではない。
【実施例１】
【００１３】
図１〜図６は、本発明の画像処理装置、画像形成装置、画像処理方法及びプログラムの一実施例を示す図であり、図１は、本発明の画像処理装置、画像形成装置、画像処理方法及びプログラムの一実施例を適用した画像形成装置１のブロック構成図である。
【００１４】
図１において、画像形成装置１は、プリンタコントローラ２、操作表示パネル３及びプリンタエンジン４等を備えている。画像形成装置１は、ＬＡＮ（Local Area Network）等のネットワークＮＷを介してコンピュータ等のホスト装置Ｈｔに接続されている。
【００１５】
ホスト装置Ｈｔは、搭載するアプリケーションによって作成等されたデータと印刷設定から、任意のＰＤＬ（Page Description Language：ページ記述言語）で、印刷データと印刷要求を生成する。ホスト装置Ｈｔは、生成した印刷要求を、画像形成装置１に送信する。ホスト装置Ｈｔは、印刷要求に、後述する４−ｕｐ印刷と切断辺を揃えることの要求を含む印刷設定情報を付加して画像形成装置１へ送信する。
【００１６】
操作表示パネル３は、画像形成装置１を操作するのに必要な各種キーを備えるとともに、ディスプレイ（例えば、液晶ディスプレイ）やＬＥＤ（Light Emitting Diode）等のランプを備えている。操作表示パネル３は、操作キーから、画像形成装置１を利用した各種動作処理に必要な各種操作が行われ、ディスプレイに、操作キーから入力された命令内容や画像形成装置１からユーザに通知する各種情報が表示される。なお、ディスプレイは、タッチパネルが付加されていてもよく、この場合、ディスプレイ上に機能ボタンを表示して、機能ボタンによる操作入力を可能とする。
【００１７】
プリンタエンジン４は、例えば、電子写真式プリンタ、インクジェットプリンタ等のプリンタエンジンが使用されている。プリンタエンジン３は、プリンタコントローラ２から渡される印刷データ（描画データ）及びジョブ属性（制御信号）に基づいて、給紙部から送られてくる用紙、フィルム等の被記録媒体（以下、用紙という。）に画像を印刷出力する。プリンタエンジン４は、カット処理（切断処理）、並び替え処理、重ねあわせ処理、ステイプル処理、パンチ処理等の後処理を行う後処理装置を備えていてもよく、プリンタエンジン４は、４−ｕｐ集約印刷した用紙を後処理部で切断処理、並び替え処理、重ね合わせ処理を行ってもよい。プリンタエンジン４は、後処理部を備えていないときには、画像を印刷した用紙を排紙トレイ上に順番に重ねて排出する。なお、本実施例のプリンタエンジン４は、用紙の両面に画像を印刷出力する両面印刷機能を有している。
【００１８】
プリンタコントローラ２は、ＣＰＵ（Central Processing Unit）１１、ＲＯＭ（Read Only Memory）１２、ＲＡＭ（Random Access Memory）１３、ＤＲＡＭ（Dynamic Random Access Memory）１４、ネットワークＩ／Ｆ１５、パネルＩ／Ｆ１６及びエンジンＩ／Ｆ１７等を備えている。
【００１９】
ネットワークＩ／Ｆ１５は、ホスト装置Ｈｔの接続されているネットワークＮＷに接続されている。ネットワークＩ／Ｆ１５は、ＣＰＵ１１の制御下で、ネットワークＮＷ上の機器、例えば、ホスト装置Ｈｔ等との間で信号の授受を行い、ネットワークＮＷを介した通信を行う。
【００２０】
パネルＩ／Ｆ１６は、上記操作表示パネル３が接続されており、コントローラ２と操作表示パネル３との間で信号の授受を行う。
【００２１】
エンジンＩ／Ｆ１７は、プリンタエンジン４に接続されており、コントローラ２からプリンタエンジン４４への制御信号や描画データ（画像データ）等のデータの出力、プリンタエンジン４からコントローラ２へのステータス信号等の各信号の授受を行う。
【００２２】
ＲＯＭ１２は、画像形成装置１の基本プログラム、本発明の画像処理方法を実行するプログラム及びシステムデータ等を格納している。
【００２３】
ＲＡＭ１３は、ＣＰＵ１１のワークメモリとして利用され、各種データをＣＰＵ１１の制御下で記憶する。
【００２４】
ＤＲＡＭ１４は、ホスト装置Ｈｔから受信した印刷データや印刷設定情報、ＣＰＵ１１によってＲＩＰ（Raster Image Processor）処理された用紙１ページ分の画像データ等が展開される。特に、ＤＲＡＭ１４は、本発明の画像処理方法における４−ｕｐ印刷において各集約画像の切断辺を、該各集約画像の同じ側の辺にする集約画像配置を行う際の記憶領域として利用される。
【００２５】
ＣＰＵ１１は、ＲＯＭ１２のプログラムに基づいて、ＲＡＭ１３をワークメモリとして利用しつつ、画像形成装置１の各部を制御して、画像形成装置１としての基本処理を実行するとともに、本発明の画像処理方法を実行する。特に、ＣＰＵ１１は、本発明の画像処理方法における４−ｕｐ印刷において各集約画像の切断辺を、該各集約画像の同じ側の辺にする集約画像配置を行う。
【００２６】
また、ＣＰＵ１１は、ネットワークＮＷＩ／Ｆ１５を介してホスト装置Ｈｔから受信した印刷データや印刷設定情報を、ＤＲＡＭ１４に保管させる。ＣＰＵ１１は、ＤＲＡＭ１４に保管した印刷データに対して、印刷設定情報に基づいて、ＲＩＰ処理を施して、ＲＩＰ処理結果の描画データ（画像データ）をＤＲＡＭ１４に展開する。
【００２７】
ＣＰＵ１１は、用紙１枚分または用紙１枚の片面分の画像データをＤＲＡＭ１４に展開すると、エンジンＩ／Ｆ１７を介して制御信号とともに、プリンタエンジン４に渡して、画像データと制御信号に基づいて画像を用紙に印刷出力させる。
【００２８】
すなわち、上記ＣＰＵ１１、ＲＯＭ１２、ＲＡＭ１３及びＤＲＡＭ１４は、４−ｕｐ印刷において各集約画像の切断辺を、該各集約画像の同じ側の辺にする集約画像配置を行い、全体として、本発明の画像処理方法を実行する画像処理装置２０として機能している。
【００２９】
画像形成装置１は、ＲＯＭ、ＥＥＰＲＯＭ（Electrically Erasable and Programmable Read Only Memory ）、ＥＰＲＯＭ、フラッシュメモリ、フレキシブルディスク、ＣＤ−ＲＯＭ（Compact Disc Read Only Memory ）、ＣＤ−ＲＷ（Compact Disc Rewritable ）、ＤＶＤ（Digital Versatile Disk）、ＵＳＢ（Universal Serial Bus）メモリ、ＳＤ（Secure Digital）カード、ＭＯ（Magneto-Optical Disc）等のコンピュータが読み取り可能な記録媒体に記録されている本発明の画像処理方法を実行するプログラムを読み込んでＲＯＭ１２に導入することで、後述する４−ｕｐ印刷において各集約画像の切断辺を同じ側にする集約画像配置を行う画像処理方法を実行する画像処理装置を搭載する画像形成装置として構築されている。この画像処理方法を実行するプログラムは、アセンブラ、Ｃ、Ｃ＋＋、Ｃ＃、Ｊａｖａ（登録商標）等のレガシープログラミング言語やオブジェクト指向プログラミング言語等で記述されたコンピュータ実行可能なプログラムであり、上記記録媒体に格納して頒布することができる。
【００３０】
そして、画像形成装置１は、本発明の画像処理方法を実行するプログラムが導入されることで、その画像書装置２０に、図２に示す機能ブロックが構築される。すなわち、画像形成装置１は、該プログラムが導入されることで、その画像書装置２０に、図２に示すように、画像記憶部３１、画像配置部３２、画像向き調整部３３、制御部３４及び情報記憶部３５が構築される。
【００３１】
画像記憶部３１は、ＤＲＡＭ１４により構築されており、少なくとも、用紙（被記録媒体）の記録面１面に対応する記憶領域３１ａを有する。この記録面１面分の記憶領域３１ａは、４−ｕｐ印刷において、画像データを縮小した４ページ分のページ縮小画像が、配置される左上領域３１ｌｕ、右上領域３１ｒｕ、左下領域３１ｌｌ、右下領域３１ｒｌに分割されている。したがって、画像記憶部３１は、画像記憶手段として機能している。
【００３２】
画像配置部３２は、ＣＰＵ１１により構築されており、用紙の記録面１面に対応する画像記憶部３１の記憶領域３１ａに対して４ページ分のページ縮小画像を配置する。したがって、画像配置部３２は、画像配置手段として機能している。
【００３３】
画像向き調整部３３は、ＣＰＵ１１により構築されており、画像記憶部３１の記憶領域３１ａに対して配置されるページ縮小画像の向きを調整する。したがって、画像向き調整部３３は、画像向き調整手段として機能している。
【００３４】
制御部３４は、ＣＰＵ１１により構築されている。制御部３４は、１枚の用紙に集約配置される４ページ分のページ縮小画像を該ページ縮小画像単位で切断したときの各該ページ縮小画像の切断辺が、切断後の該ページ縮小画像を同じ向きに重ね合わせたときに同じ側の辺となる該ページ縮小画像の記憶領域３１ａへの配置位置及び向きを求めて画像配置部３２及び画像向き調整部３３に該ページ縮小画像の配置及び向き調整を行わせる。したがって、制御部３４は、制御手段として機能している。
【００３５】
情報記憶部３５は、ＲＯＭ１２により構築されている。情報記憶部３５は、１枚の用紙を切断したときの先頭に、該用紙に配置されているページ縮小画像の重ね合わせ順を案内するガイドページ（案内情報）を、該用紙の枚数毎に記憶する。したがって、情報記憶部３５は、情報記憶手段として機能している。
【００３６】
この場合、制御部３４は、１枚の用紙を切断したときに、該用紙において先頭となる記憶領域３１ａの位置に、ガイドページ（案内情報）を配置する。そして、制御部３４は、以降の該用紙に対応するページ縮小画像を、１ページ分ずつずらした状態で、該ページ縮小画像の配置位置及び向きを求める。
【００３７】
そして、画像形成装置１は、画像処理装置２０の画像記憶部３１に展開配置されているページ縮小画像に基づいて、ＣＰＵ１１の制御下で、プリンタエンジン４によって、用紙に４−ｕｐ印刷する。
【００３８】
次に、本実施例の作用を説明する。本実施例の画像形成装置１は、その画像処理装置２０が、４−ｕｐ印刷において各集約画像の切断辺を、該各集約画像の同じ側の辺にする集約画像配置を行う。
【００３９】
画像形成装置１は、ネットワークＩ／Ｆ１５が、ホスト装置Ｈｔから印刷データと印刷要求を受信すると、印刷用級の印刷設定情報を確認する。画像形成装置１は、印刷要求に、４−ｕｐ印刷の要求があるか、また、４−ｕｐ印刷要求がある場合に、用紙切断後の切断辺を同じ側に揃える切断辺揃え要求があるかチェックする。また、画像形成装置１は、印刷設定情報に、ガイドページの付与の設定があるかチェックする。
【００４０】
そして、画像形成装置１は、切断辺揃え要求を伴う４−ｕｐ印刷要求と、ガイドページの付与設定の有無に応じて、図３に示すように、画像処理を行う。なお、以下の説明では、切断辺揃え要求を伴う４−ｕｐ印刷を行う場合には、用紙の両面に印刷する両面印刷において切断辺揃え要求を伴う４−ｕｐ印刷を行うものとして説明するが、片面印刷においても、同様に適用することができる。
【００４１】
画像形成装置１は、まず、切断辺揃え要求を伴う４−ｕｐの印刷要求があるかチェックする（ステップＳ１０１）。画像形成装置１は、切断辺揃え要求を伴う４−ｕｐの印刷要求がないときには（ステップＳ１０１で、ＮＯのとき）、通常の画像処理、すなわち、画像データをページ順にＲＩＰ処理して印刷する処理を行う（ステップＳ１０２）。
【００４２】
ステップＳ１０１で、切断辺揃え要求を伴う４−ｕｐ印刷要求があると（ステップＳ１０１で、ＹＥＳのとき）、画像形成装置１は、ガイドページの付与設定があるかチェクする（ステップＳ１０３）。
【００４３】
画像形成装置１は、ステップＳ１０３で、ガイドページの付与設定がないと（ステップＳ１０３で、ＮＯのとき）、シートナンバに、画像データの総ページ数ｎを、「８」で除算した値を代入する（ステップＳ１０４）。このシートナンバは、全ての画像を記録するのに必要な用紙の枚数を示す変数である。すなわち、画像形成装置１は、１枚の用紙の両面のページ縮小画像の数である「８」で、総ページ数ｎを除算して、除算結果を、シートナンバに代入する。この場合、画像形成装置１は、総ページ数ｎが、「８」で除算したときに、余りがでるときには、除算結果を切り上げた整数を、シートナンバに代入する。
【００４４】
画像形成装置１は、ステップＳ１０３で、ガイドページの付与設定があると（ステップＳ１０３で、ＹＥＳのとき）、シートナンバに、総ページ数ｎを「８」で除算し、さらに、除算結果に「１」を加算して、シートナンバに代入する（ステップＳ１０５）。この場合においても、画像形成装置１は、総ページ数ｎが、「８」で除算したときに、余りがでるときには、除算結果を切り上げた整数を、シートナンバに代入する。
【００４５】
次に、画像形成装置１は、シートナンバへの値の代入を行うと、カレントシートへ「０」を代入する（ステップＳ１０６）。カレントシートは、「０」から始まり現在処理中の用紙が最初から数えたときの枚数、すなわち、現在処理中の用紙が、最初から数えて何枚目であるかを示す変数である。
【００４６】
画像形成装置１は、印刷要求のあった画像データのうち、カレントシートに載せる画像データのページを、以下のように計算する（ステップＳ１０７）。
【００４７】
いま、図４に示すように、用紙に対して、その記録面の表面を、４−ｕｐ印刷する際の画像領域として、左上領域を、セル１、右上領域を、セル２、左下領域を、セル３、右下領域を、セル４とする。また、用紙に対して、その記録面の裏面を、４−ｕｐ印刷する際の画像領域として、左上領域を、セル５、右上領域を、セル６、左下領域を、セル７、右下領域を、セル８とする。そして、これらの左上領域、右上領域、左下領域、右下領域は、画像記憶部３１の記録領域３１ａに構築されている記憶領域である左上領域３１ｌｕ、右上領域３１ｒｕ、左下領域３１ｌｌ、右下領域３１ｒｌに対応している。また、分かりやすくするために、画像形成装置１は、画像記憶部３１に、表記録面と裏記録面の２面用の記録領域３１ａを備えていているものとする。さらに、画像記憶部３１は、上記セル１からセル８に対応する記憶領域として、左上領域３１ｌｕ、右上領域３１ｒｕ、左下領域３１ｌｌ、右下領域３１ｒｌを、表記録面用と裏記録面用にそれぞれ備えているものとする。
【００４８】
画像形成装置１は、カレントシートへのセル画像データのページを計算するのに、まず、以下の計算に用いる基準変数としてのベースナンバを、以下のように定義する。
【００４９】
ガイドページありの場合、ベースナンバ＝（シートナンバ−１）×２
ガイドページなしの場合、ベースナンバ＝シートナンバ×２
そして、画像形成装置１は、各セル１〜セル８に対して載せる画像データのページを、以下のように計算する。
【００５０】
セル１に対して、画像形成装置１は、以下のページを割り当てるように計算する。
【００５１】
ガイドページありの場合、画像形成装置１は、カレントシートが「０」であると、ガイドページを割り当て、カレントシートが「０」以外であると、［カレントシート×２−１］ページを割り当てる。
【００５２】
ガイドページなしの場合、画像形成装置１は、［（カレントシート×２−１）＋２］ページを割り当てる。
【００５３】
セル２に対して、画像形成装置１は、以下のページを割り当てるように計算する。
【００５４】
ガイドページありの場合、画像形成装置１は、（カレントシート＋１）が、シートナンバであると、画像なしの空白を示すブランクページ（ガイドページの裏面）を割り当てる。また、画像形成装置１は、（カレントシート＋１）が、シートナンバ以外であると、［ベースナンバ×２−カレントシート×２］ページを割り当てる。
【００５５】
ガイドページなしの場合、画像形成装置１は、［ベースナンバ×２−カレントシート×２］ページを割り当てる。
【００５６】
セル３に対して、画像形成装置１は、以下のページを割り当てるように計算する。
【００５７】
ガイドページありの場合、画像形成装置１は、（カレントシート＋１）が、シートナンバであると、ブランクページ（ガイドページの裏面）を割り当てる。また、画像形成装置１は、（カレントシート＋１）が、シートナンバ以外であると、［ベースナンバ×３−カレントシート×２］ページを割り当てる。
【００５８】
ガイドページなしの場合、画像形成装置１は、［ベースナンバ×３−カレントシート×２］ページを割り当てる。
【００５９】
セル４に対して、画像形成装置１は、以下のページを割り当てるように計算する。
【００６０】
ガイドページありの場合、画像形成装置１は、カレントシートが「０」であると、ガイドページを割り当てる。また、画像形成装置１は、カレントシートが「０」以外であると、［ベースナンバ×３＋カレントシート×２−１］ページを割り当てる。
【００６１】
ガイドページなしの場合、画像形成装置１は、［（ベースナンバ×３−カレントシート×２−１）＋２］ページを割り当てる。
【００６２】
また、用紙の裏記録面のセル５に対して、画像形成装置１は、以下のページを割り当てるように計算する。
【００６３】
ガイドページありの場合、画像形成装置１は、（カレントシート＋１）がシートナンバのとき、ガイドページを割り当て、（カレントシート＋１）がシートナンバ以外のとき、［ベースナンバ×２−カレントシート×２−１］ページを割り当てる。
【００６４】
ガイドページなしの場合、画像形成装置１は、［ベースナンバ×２−カレントシート×２−１］ページを割り当てる。
【００６５】
セル６に対して、画像形成装置１は、以下のページを割り当てるように計算する。
【００６６】
ガイドページありの場合、画像形成装置１は、カレントシートが「０」であると、ブランクページ（ガイドページの裏面）を割り当て、カレントシートが「０」以外であると、［カレントシート×２］ページを割り当てる。
【００６７】
ガイドページなしの場合、画像形成装置１は、［カレントシート×２＋２］ページを割り当てる。
【００６８】
セル７に対して、画像形成装置１は、以下のページを割り当てるように計算する。
【００６９】
ガイドページありの場合、画像形成装置１は、カレントシートが「０」であると、ブランクページ（ガイドページの裏面）を割り当て、カレントシートが「０」以外であると、［ベースナンバ×３＋カレントシート×２］ページを割り当てる。
【００７０】
ガイドページなしの場合、画像形成装置１は、［ベースナンバ×３＋カレントシート×２＋２］ページを割り当てる。
【００７１】
セル８に対して、画像形成装置１は、以下のページを割り当てるように計算する。
【００７２】
ガイドページありの場合、画像形成装置１は、（カレントシート＋１）が、シートナンバのとき、ガイドページを割り当て、（カレントシート＋１）が、シートナンバ以外であると、［ベースナンバ×３−カレントシート×２−１］ページを割り当てる。
【００７３】
ガイドページなしの場合、画像形成装置１は、［ベースナンバ×３−カレントシート×２−１］ページを割り当てる。
【００７４】
なお、ガイドページをカレントシートが「０」のときに入れるとき、すなわち、セル１、セル４、セル６及びセル７に入れるときには、ガイドページありの場合に、「＋２」することで、ガイドページなしの場合のページ数を計算することができる。また、ガイドページをカレントシートが「０」の場合に入れるときとき、すなわち、セル２、セル３、セル５、セル８に入れるときには、ガイドページありの場合と、ガイドページなしの場合の各ページについては、上記同様の計算方法により計算することができる。
【００７５】
画像形成装置１は、カレントシートの用紙に載せるページの計算を上述のように行うと、セル３、セル４、セル７、セル８の画像データに対して、１８０度回転処理を施す（ステップＳ１０８）。
【００７６】
画像形成装置１は、カレントシートの用紙に載せる全てのページの画像データに対して、ＲＩＰ処理を施す（ステップＳ１０９）。
【００７７】
画像形成装置１は、ＲＩＰ処理したカレントシートの用紙に載せる全てのページの画像データをプリンタエンジン４に送信してプリンタエンジン４に、該カレントシートに載せる画像を記録出力させる（ステップＳ１１１）。
【００７８】
画像形成装置１は、カレントシートの画像データのプリンタエンジン４への送信を行うと、カレントページをインクリメント（カレントシート＋＋）して、カレントシートがシートナンバ以上になったかチェックする（ステップＳ１１２）。すなわち、画像形成装置１は、用紙の処理枚数が、全ての画像を記録するのに必要な用紙の枚数になったかチェックする。
【００７９】
ステップＳ１１２で、カレントシートがシートナンバになっていないときには（ステップＳ１１２で、ＮＯのとき）、画像形成装置１は、ステップＳ１０７に戻って、上記同様に処理する（ステップＳ１０７〜Ｓ１１２）。すなわち、画像形成装置１は、インクリメントしたカレントシートに載せるページの計算から上記同様に処理する。
【００８０】
ステップＳ１１２で、カレントシートがシートナンバに到達すると（ステップＳ１１２で、ＹＥＳのとき）、画像形成装置１は、画像処理を終了する。
【００８１】
画像形成装置１は、具体的には、ガイドページなしの場合、図５に示すように、ページ割り当てと印刷を行い、その後、ユーザによって、あるいは、後処理部で、切断、並び替え、積み重ねの処理が実行されることになる。
【００８２】
図５では、画像データのページ数が、「１７」ページである場合が示されている。画像形成装置１は、図５（ａ）に示すように、上記１枚目の用紙（カレントシート）のセル１からセル８へのページ割り当てを行う処理を、用紙毎、すなわち、カレントシート毎に繰り返し行う。そして、画像形成装置１は、用紙３まで処理を完了することで、全てのページの割り当てを完了する。なお、図５において、セルに該当する四角内に記載されている数字は、そのセルに割り当てられているページ数を示しており、空白は、ページが割り当てられておらず、空であることを示している。
【００８３】
画像形成装置１は、このようにして割り当てたページの画像データを、用紙単位でＲＩＰ処理した後、プリンタエンジン４で用紙に印刷出力させる。
【００８４】
画像形成装置１による印刷出力が完了すると、ユーザが実施してもよいし、後処理部が実施してもよいが、図５（ｂ）に示すように、４−ｕｐ印刷された用紙の切断が行われる。この段階では、各ページ縮小画像の切断辺は、図５において太線で切断片を示すように、図５（ａ）における用紙での切断位置となっている。ユーザまたは後処理部が、この切断された各ページ縮小画像を、図５（ｃ）に示すように、用紙毎に、ページ順と画像向きの並び替えを行って、切断辺を揃える。さらに、ユーザまたは後処理部が、図５（ｄ）に示すように、並び替えた用紙毎のページ縮小画像を、ページ順に積み重ねを行うことで、切断辺が揃ったページ縮小画像を生成することができる。なお、図５では、図５（ａ）〜（ｄ）に太線で示す辺が切断辺であり、図５（ｃ）、（ｄ）では、右側辺と下側辺が、切断辺となっている。
【００８５】
また、画像形成装置１は、具体的には、ガイドページありの場合、図６に示すように、ページ割り当てと印刷を行い、その後、ユーザによって、あるいは、後処理部で、切断、並び替え、積み重ねの処理が実行されることになる。
【００８６】
図６では、画像データのページ数が、「１７」ページであり、積み重ねの束毎にガイドページを印刷する場合が示されている。画像形成装置１は、図６（ａ）に示すように、上記１枚目の用紙（カレントシート）のセル１からセル８へのガイドページありにおけるページ割り当てを行う処理を、用紙毎、すなわち、カレントシート毎に繰り返し行う。そして、画像形成装置１は、用紙４まで処理を完了することで、全てのページの割り当てを完了する。なお、図６において、セルに該当する四角内に記載されている数字は、そのセルに割り当てられているページ数を示しており、空白は、ページが割り当てられておらず、空であることを示している。また、図６において、かっこ「（）」の付与されている数字は、ガイドページを示しており、その数字は、４枚の用紙を切断したときの各ページ縮小画像の束の数値を示している。
【００８７】
画像形成装置１は、このようにして割り当てたページの画像データを、用紙単位でＲＩＰ処理した後、プリンタエンジン４で用紙に印刷出力させる。
【００８８】
画像形成装置１による印刷出力が完了すると、ユーザが実施してもよいし、後処理部が実施してもよいが、図６（ｂ）に示すように、４−ｕｐ印刷された用紙は、切断が行われる。この段階では、各ページ縮小画像の切断辺は、図６（ａ）における用紙での切断位置となっている。ユーザまたは後処理部が、この切断された各ページ縮小画像を、図６（ｃ）に示すように、用紙毎に、ページ順と画像向きの並び替えを行う。さらに、ユーザまたは後処理部が、図６（ｄ）に示すように、並び替えた用紙毎のページ縮小画像を、ページ順に積み重ねを行うことで、切断辺が揃ったページ縮小画像を生成することができる。なお、図６では、図６（ａ）〜（ｄ）に太線で示す辺が切断辺であり、図６（ｃ）、（ｄ）では、右側辺と下側辺が、切断辺となっている。
【００８９】
なお、上記説明においては、画像形成装置１は、用紙の表裏面をページ順とするページ配置の場合、該用紙の表記録面に対応する記憶領域３１ａの左上領域３１ｌｕには、用紙の枚数が増加するのに伴ってページが増加するページ縮小画像、右上領域３１ｒｕには、用紙の枚数が増加するのに伴ってページが減少するページ縮小画像、左下領域３１ｌｌには、用紙の枚数が増加するのに伴ってページが減少するとともに、１８０度回転した該ページ縮小画像、右下領域３１ｒｌには、用紙の枚数が増加するのに伴ってページが増加するとともに、１８０度回転したページ縮小画像とするページ縮小画像の配置及び向きを求め、用紙の裏記録面に対応する記録領域３１ａの各領域３１ｌｕ、３１ｒｕ、３１ｌｌ、３１ｒｌには、表記録面の次のページまたは前のページのページ縮小画像を表記録面のページ縮小画像と同じ向きとするページ縮小画像の配置及び向きを求めている。
【００９０】
ところが、画像を１８０度回転させるのは、左下領域３１ｌｌと右下領域３１ｒｌの画像に限るものではなく、左上領域３１ｌｕと右上領域３１ｒｕの画像であってもよい。
【００９１】
すなわち、この場合、画像形成装置１は、用紙の表記録面に対応する記憶領域３１ａの左上領域３１ｌｕには、用紙の枚数が増加するのに伴ってページが増加するとともに、１８０度回転したページ縮小画像、右上領域３１ｒｕには、用紙の枚数が増加するのに伴ってページが減少するとともに、１８０度回転した該ページ縮小画像、左下領域３１ｌｌには、用紙の枚数が増加するのに伴ってページが減少する該ページ縮小画像、右下領域３１ｒｌには、用紙の枚数が増加するのに伴ってページが増加する該ページ縮小画像とするページ縮小画像の配置及び向きを求め、用紙の裏記録面に対応する記録領域３１ａの各領域３１ｌｕ、３１ｒｕ、３１ｌｌ、３１ｒｌには、表記録面の次のページのページ縮小画像または前のページのページ縮小画像を表記録面の該ページ縮小画像と同じ向きとするページ縮小画像の配置及び向きを求める。
【００９２】
このように、本実施例の画像形成装置１は、その画像処理装置２０が、画像データを縮小したページ縮小画像４ページ分を、用紙（被記録媒体）の記録面１面に集約配置する画像処理装置であって、少なくとも、前記用紙の前記記録面１面に対応する記憶領域３１ａを有する画像記憶部（画像記憶手段）３１と、前記用紙の前記記録面１面に対応する前記記憶領域３１ａに対して４ページ分の前記ページ縮小画像を配置する画像配置部（画像配置手段）３２と、前記記憶領域３１ａに対して配置される前記ページ縮小画像の向きを調整する画像向き調整部（画像向き調整手段）３３と、１枚の前記用紙に集約配置される４ページ分の前記ページ縮小画像を該ページ縮小画像単位で切断したときの各該ページ縮小画像の切断辺が、切断後の該ページ縮小画像を同じ向きに重ね合わせたときに同じ側の辺となる該ページ縮小画像の前記記憶領域３１ａへの配置位置及び向きを求めて前記画像配置部３２及び前記画像向き調整部３３に該ページ縮小画像の配置及び向き調整を行わせる制御部（制御手段）３４と、を備えている。
【００９３】
したがって、４−ｕｐ印刷において各集約画像の切断辺を、該各集約画像の同じ側の辺にする集約画像配置を行うことができ、４−ｕｐ印刷結果の利用性を向上させることができる。
【００９４】
また、本実施例の画像形成装置１は、画像データを縮小したページ縮小画像４ページ分を、用紙の記録面１面に集約配置する画像処理方法であって、少なくとも、前記用紙の前記記録面１面に対応する記憶領域３１ａを有する画像記憶部３１の該用紙の該記録面１面に対応する該記憶領域３１ａに対して４ページ分の前記ページ縮小画像を配置する画像配置処理ステップと、前記記憶領域３１ａに対して配置される前記ページ縮小画像の向きを調整する画像向き調整処理ステップと、１枚の前記用紙に集約配置される４ページ分の前記ページ縮小画像を該ページ縮小画像単位で切断したときの各該ページ縮小画像の切断辺が、切断後の該ページ縮小画像を同じ向きに重ね合わせたときに同じ側の辺となる該ページ縮小画像の前記記憶領域３１ａへの配置位置及び向きを求めて前記画像配置処理ステップ及び前記画像向き調整処理ステップで該ページ縮小画像の配置及び向き調整を行わせる制御処理ステップと、を有する画像処理方法を実行する。
【００９５】
したがって、４−ｕｐ印刷において各集約画像の切断辺を、該各集約画像の同じ側の辺にする集約画像配置を行うことができ、４−ｕｐ印刷結果の利用性を向上させることができる。
【００９６】
さらに、本実施例の画像形成装置１は、画像データを縮小したページ縮小画像４ページ分を、用紙の記録面１面に集約配置する画像処理装置２０が、ＣＰＵ１１等の制御プロセッサに、少なくとも、前記用紙の前記記録面１面に対応する記憶領３１ａを有する画像記憶部３１の該用紙の該記録面１面に対応する該記憶領域３１ａに対して４ページ分の前記ページ縮小画像を配置する画像配置処理と、前記記憶領域３１ａに対して配置される前記ページ縮小画像の向きを調整する画像向き調整処理と、１枚の前記用紙に集約配置される４ページ分の前記ページ縮小画像を該ページ縮小画像単位で切断したときの各該ページ縮小画像の切断辺が、切断後の該ページ縮小画像を同じ向きに重ね合わせたときに同じ側の辺となる該ページ縮小画像の前記記憶領域３１ａへの配置位置及び向きを求めて前記画像配置処理及び前記画像向き調整処理で該ページ縮小画像の配置及び向き調整を行わせる制御処理と、を実行させるプログラムを搭載している。
【００９７】
したがって、４−ｕｐ印刷において各集約画像の切断辺を、該各集約画像の同じ側の辺にする集約画像配置を行うことができ、４−ｕｐ印刷結果の利用性を向上させることができる。
【００９８】
また、本実施例の画像形成装置１の画像処理装置２０は、前記制御部３４が、前記用紙の表裏面をページ順とするページ配置の場合、該用紙の表記録面に対応する前記記憶領域３１ａの左上領域３１ｌｕには、該用紙の枚数が増加するのに伴ってページが増加する前記ページ縮小画像、右上領域３１ｒｕには、該用紙の枚数が増加するのに伴ってページが減少する該ページ縮小画像、左下領域３１ｌｌには、該用紙の枚数が増加するのに伴ってページが減少するとともに、１８０度回転した該ページ縮小画像、右下領域３１ｒｌには、該用紙の枚数が増加するのに伴ってページが増加するとともに、１８０度回転した該ページ縮小画像とするページ縮小画像の配置及び向きを求め、該用紙の裏記録面に対応する該記録領域３１ａの各領域には、該表記録面の次のページまたは前のページのページ縮小画像を該表記録面の該ページ縮小画像と同じ向きとするページ縮小画像の配置及び向きを求める。
【００９９】
したがって、上記ページ配置基準に基づいて、複数ページからなる画像データの各ページ画像を縮小したページ縮小画像を、記録領域３１ａへの配置及び画像回転することができる。その結果、４−ｕｐ印刷において各集約画像の切断辺を、該各集約画像の同じ側の辺にする集約画像配置を適切かつ容易に行うことができ、４−ｕｐ印刷結果の利用性を向上させることができる。
【０１００】
さらに、本実施例の画像形成装置１の画像処理装置２０は、前記制御部３４が、前記用紙の表裏面をページ順とするページ配置の場合、該用紙の表記録面に対応する前記記憶領域３１ａの左上領域３１ｌｕには、該用紙の枚数が増加するのに伴ってページが増加するとともに、１８０度回転した前記ページ縮小画像、右上領域３１ｒｕには、該用紙の枚数が増加するのに伴ってページが減少するとともに、１８０度回転した該ページ縮小画像、左下領域３１ｌｌには、該用紙の枚数が増加するのに伴ってページが減少する該ページ縮小画像、右下領域３１ｒｌには、該用紙の枚数が増加するのに伴ってページが増加する該ページ縮小画像とするページ縮小画像の配置及び向きを求め、該用紙の裏記録面に対応する該記録領域３１ａの各領域には、該表記録面の次のページのページ縮小画像または前のページのページ縮小画像を該表記録面の該ページ縮小画像と同じ向きとするページ縮小画像の配置及び向きを求める。
【０１０１】
したがって、上記ページ配置基準に基づいて、複数ページからなる画像データの各ページ画像を縮小したページ縮小画像を、記録領域３１ａへの配置及び画像回転することができる。その結果、４−ｕｐ印刷において各集約画像の切断辺を、該各集約画像の同じ側の辺にする集約画像配置を適切かつ容易に行うことができ、４−ｕｐ印刷結果の利用性を向上させることができる。
【０１０２】
また、本実施例の画像形成装置１は、画像処理装置２０が、１枚の用紙を切断したときの先頭に、該用紙に配置されている前記ページ縮小画像の重ね合わせ順を案内するガイドページ（案内情報）を、該用紙の枚数毎に記憶する情報記憶部（情報記憶手段）３５を、さらに備え、前記制御部３４が、１枚の用紙を切断したときに、該用紙において先頭となる前記記憶領域３１ａの位置に、前記ガイドページを配置し、以降の該用紙に対応する前記ページ縮小画像を、１ページ分ずつずらした状態で、該ページ縮小画像の配置位置及び向きを求める。
【０１０３】
したがって、ガイドページを印刷する場合にも、適切に、４−ｕｐ印刷において各集約画像の切断辺を、該各集約画像の同じ側の辺にする集約画像配置を適切かつ容易に行うことができ、４−ｕｐ印刷結果の利用性をより一層向上させることができる。
【０１０４】
さらに、本実施例の画像形成装置１の画像処理装置２０は、前記制御部３４が、全ての画像を記録するのに必要な前記用紙の枚数を、シートナンバ、「０」から始まり現在処理中の該用紙が最初から数えたときの枚数を、カレントシートとしたとき、ベースナンバを、ベースナンバ＝シートナンバ×２とし、該用紙の表記録面に対応する前記記憶領域３１ａの前記左上領域３１ｌｕへは、「（カレントシート×２−１）＋２」ページの画像を、前記右上領域３１ｒｕへは、「ベースナンバ×２−カレントシート×２」ページの画像を、前記左下領域３１ｌｌへは、「ベースナンバ×３−カレントシート×２」ページの画像を、前記右下領域３１ｒｌへは、「（ベースナンバ×３−カレントシート×２−１）＋２」ページの画像を、配置し、該用紙の裏記録面に対応する該記憶領域３１ａの該左上領域３１ｌｕへは、「ベースナンバ×２−カレントシート×２ー１」ページの画像を、該右上領域３１ｒｕへは、「カレントシート×２＋２」ページの画像を、該左下領域３１ｌｌへは、「ベースナンバ×３＋カレントシート×２＋２」ページの画像を、該右下領域３１ｒｌへは、「ベースナンバ×３−カレントシート×２−１」ページの画像を、配置する。
【０１０５】
したがって、４−ｕｐ印刷において各集約画像の切断辺を、簡単な法則に基づいて、該各集約画像の同じ側の辺にする集約画像配置を行うことができ、４−ｕｐ印刷結果の利用性を適切かつ容易に向上させることができる。
また、本実施例の画像形成装置１は、画像処理装置２０が、１枚の前記用紙を切断したときの先頭に、該用紙に配置されている前記ページ縮小画像の重ね合わせ順を案内するガイドページ（案内情報）を、該被記録媒体の枚数毎に記憶する情報記憶部３５を、さらに備え、前記制御部３４が、全ての画像を記録するのに必要な用紙の枚数を、シートナンバ、「０」から始まり現在処理中の用紙が最初から数えたときの枚数を、カレントシートとしたとき、１枚の該用紙を切断したときの先頭に、前記ガイドページを配置する場合、ベースナンバを、ベースナンバ＝（シートナンバ−１）×２とし、該用紙の表記録面に対応する前記記憶領域３１ａの左上領域３１ｌｕへは、カレントシートが「０」のとき、該ガイドページを、カレントシートが「０」以外のとき、「カレントシート×２−１」ページの画像を、前記右上領域３１ｒｕへは、（カレントシート＋１）がシートナンバのとき、「空」ページの画像を、（カレントシート＋１）がシートナンバ以外のとき、「ベースナンバ×２−カレントシート×２」ページの画像を、前記左下領域３１ｌｌへは、（カレントシート＋１）がシートナンバのとき、「空」ページの画像を、（カレントシート＋１）がシートナンバ以外のとき、「ベースナンバ×３−カレントシート×２」ページの画像を、前記右下領域３１ｒｌへは、カレントシートが「０」のとき、該ガイドページを、「（ベースナンバ×３＋カレントシート×２−１）」ページの画像を、配置し、該用紙の裏記録面に対応する該記憶領域３１ａの該左上領域３１ｌｕへは、（カレントシート＋１）がシートナンバのとき、該ガイドページを、（カレントシート＋１）がシートナンバ以外のとき、「ベースナンバ×２−カレントシート×２−１」ページの画像を、該右上領域３１ｒｕへは、カレントシートが「０」のとき、該ガイドページを、カレントシートが「０」以外のとき、「カレントシート×２」ページの画像を、該左下領域３１ｌｌへは、カレントシートが「０」のとき、「空」ページの画像を、カレントシートが「０」以外のとき、「ベースナンバ×３＋カレントシート×２」ページの画像を、該右下領域３１ｒｌへは、（カレントシート＋１）がシートナンバのとき、該ガイドページを、（カレントシート＋１）がシートナンバ以外のとき、「ベースナンバ×３−カレントシート×２−１」ページの画像を、配置する。
【０１０６】
したがって、ガイドページを配置する４−ｕｐ印刷において各集約画像の切断辺を、簡単な法則に基づいて、該各集約画像の同じ側の辺にする集約画像配置を行うことができ、４−ｕｐ印刷結果の利用性を適切かつ容易に向上させることができる。
【０１０７】
以上、本発明者によってなされた発明を好適な実施例に基づき具体的に説明したが、本発明は上記実施例で説明したものに限定されるものではなく、その要旨を逸脱しない範囲で種々変更可能であることはいうまでもない。
【符号の説明】
【０１０８】
１  画像形成装置
２  プリンタコントローラ
３  操作表示パネル
４  プリンタエンジン
ＮＷ  ネットワーク
Ｈｔ  ホスト装置
１１  ＣＰＵ
１２  ＲＯＭ
１３  ＲＡＭ
１４  ＤＲＡＭ
１５  ネットワークＩ／Ｆ
１６  パネルＩ／Ｆ
１７  エンジンＩ／Ｆ
２０  画像書装置
３１  画像記憶部
３１ａ  記憶領域
３１ｌｕ  左上領域
３１ｒｕ  右上領域
３１ｌｌ  左下領域
３１ｒｌ  右下領域
３２  画像配置部
３３  画像向き調整部
３４  制御部
３５  情報記憶部
【先行技術文献】
【特許文献】
【０１０９】
【特許文献１】特開２０１０−０２７０６３号公報
【図１】
2016178518.tif 000003
【図２】
2016178518.tif 000004
【図３】
2016178518.tif 000005
【図４】
2016178518.tif 000006
【図５】
2016178518.tif 000007
【図６】
2016178518.tif 000008